Podtech/llm-jp-corpus-v4-ja_patent huggingface dataset:
(57)【要約】【課題】    パン生地で従来使われるショートニングには、トランス脂肪酸が多く入っており、健康的に良くないという指摘がある。また、健康に良いとされる油は液状のものが多いのだが、液状の油はそのままパン生地に入れようとすると生地がすべり、うまく入っていかず、パン生地も固くなりやすい。【解決手段】    液状の油脂を冷却すると、その油脂の凝固する温度にもよるのだが、ショートニングのような半固形状になる温度帯がある。よって米油を冷却してパン生地に練り込んだ。  小麦粉の味を楽しんだり、酒種のようなほのかな香りを楽しむパンの際には、その香りを邪魔しない無味無臭の油脂を使うことが好まれる。しかしこれまでは健康に良くないとされるショートニングを使うしかなかった。その中で液状油脂を冷却する製法を使い、さらにビタミンＥを多く含み、熱にも強く、抗酸化力が強いとされる米油を使い冷却し、生地に投入する事で、ショートニングを使わず、健康的でやわらかいパン生地を作ることができる。【特許請求の範囲】
【請求項１】
パン生地を捏ねる際に、米油を冷却し半固形状にして投入する
【発明の詳細な説明】
【技術分野】
【０００１】    パン生地を捏ねる際に、米油を冷却し半固形状にして投入する
【背景技術】
【０００２】    従来パン生地を捏ねる際、バターではなく無味無臭に近いものであると、ショートニングであった。
【発明の開示】
【発明が解決しようとする課題】
【０００３】    パン生地で従来使われるショートニングには、トランス脂肪酸が多く入っており、健康的に良くないという指摘がある。また、健康に良いとされる油は液状のものが多いのだが、液状の油はそのままパン生地に入れようとすると生地がすべり、うまく入っていかず、パン生地も固くなりやすい。
【課題を解決するための手段】
【０００４】    液状の油脂を冷却すると、その油脂の凝固する温度にもよるのだが、ショートニングのような半固形状になる温度帯がある。よって米油を冷却してパン生地に練り込んだ。
【発明の効果】
【０００５】    小麦粉の味を楽しんだり、酒種のようなほのかな香りを楽しむパンの際には、その香りを邪魔しない無味無臭の油脂を使うことが好まれる。しかしこれまでは健康に良くないとされるショートニングを使うしかなかった。その中で液状油脂を冷却する製法を使い、さらにビタミンＥを多く含み、熱にも強く、抗酸化力が強いとされる米油を使い冷却し、生地に投入する事で、ショートニングを使わず、健康的でやわらかいパン生地を作ることができる。
(57)【要約】【課題】門扉や囲い柵等に使用されている棒状構造体の塗装【解決手段】円弧構造体１は一回転と１／５程度円弧を描くよう湾曲させてあるが、先端が円弧の一部と接触せず、間隔を持って曲げてある。門扉や囲い柵に使用されている棒状構造体４に該円弧構造体１の他の部位が円弧の一部と接触しないよう間隔を持って曲げてある部分を前記棒状構造体４に合わせ、刷毛２の略真中近くまで取手３を操作し移動させ、該取手３の軸を右に回し刷毛２が略平行になることにより、棒状構造体４の全周塗装を可能にしている。【選択図】図８
2018153599.tif 000002
【特許請求の範囲】
【請求項１】
門扉や囲い柵に使用されている棒状構造体の全周面の塗装作業を一度に済ませることを可能とした刷毛であって、当該刷毛は取っ手より前方へ伸びた部分の形状が円弧状を有し、該円弧状構造体の内側へ毛、或いはペイントローラー等に使用されている起毛材の素材を設けた構成からなる刷毛であって、該円弧状構造体の先端は先端から約１回転と１／５程度に円弧を描くように湾曲させてあるが、先端が円弧の一部と接触せず、棒状構造体に差し込むに必要最小限の間隔を持って湾曲させてあることを特徴とする刷毛。
【請求項２】
前記同様、該円弧状構造体の内側へ毛、或いはペイントローラー等に使用されている起毛材の素材を設けた構成からなる刷毛であるが、該円弧状構造体の刷毛を一つの取っ手から上下へ水平の状態でそれぞれを独立させながら、上下二つの刷毛の中心部が略真円になるよう重ねるが、この時、上下の刷毛同士が接触せず、且つ棒状構造体に差し込むに必要最小限の間隔を持ったことを特徴とした請求項１記載の刷毛。
【発明の詳細な説明】
【技術分野】
【０００１】本発明は、門扉や囲い柵に使用されている棒状構造体の全周面への塗装を一度に済ますことが出来る刷毛に関するものである。
【背景技術】
【０００２】従来、門扉や囲い柵に使用されている棒状構造体の全周面を塗装する場合には、刷毛を何度か持ち返えて塗装する以外方法がなかった。
【発明の概要】
【発明が解決しようとする課題】
【０００３】前記した門扉や囲い柵に使用されている棒状構造体が特に太い場合等であれば尚更、現在一般的に使用されている刷毛を用いて、全周を一度に塗装することは不可能であった。
【課題を解決する手段】
【０００４】本発明は、当該刷毛が円弧状を有しており、円弧状内側に設けられた刷毛が棒状構造体全周面と接するので、上下方向或いは左右方向に移動させることで、一度で全周面を塗装することができる。
【発明の効果】
【０００５】今までの刷毛のように棒状構造体の塗装面に応じ、前後、左右と一々持ちかえることなく、棒状構造体の全周面を一度に塗装することが可能であり、労力と施工時間が大幅に軽減できる。
【図面の簡単な説明】
【０００６】
【図１】本発明請求項１記載刷毛の平面図である。
【図２】本発明請求項１記載刷毛の側面図である。
【図３】本発明請求項１記載の刷毛の使用方法を解りやすく説明するため、該刷毛を除いた円弧状構造体のみで実施例図である。（以降刷毛を除いた状態で、円弧状構造体の記載は、円弧状構造体と記載する）
【図４】本発明請求項１記載の円弧状構造体を、門扉や囲い柵に使用されている棒状構造体に、該円弧状構造体を立てた状態で前記棒状構造体の略中心に円弧状構造体をセットした実施例図である。
【図５】前記記載の通りセットされた円弧状構造体を該円弧状構造体片側に設けた取手を直角に回転させ棒状構造体の塗装を可能にした実施例図である。
【図６】前記記載図３に刷毛を取り付けた、実施例図である。
【図７】前記記載図４に刷毛を取り付けた、実施例図である。
【図８】前記記載図５に刷毛を取り付けた、実施例図である。
【図９】本発明請求項２記載刷毛の平面図である。
【図１０】本発明請求項２記載刷毛の側面図である。
【図１１】本発明請求項２記載の円弧状構造体に構成した刷毛を門扉や囲い柵に使用されている、棒状構造体に、該円弧状構造体に構成した刷毛を立てた状態で前記棒状構造体にセットした実施例図である。
【図１２】本発明請求項２記載の円弧状構造体を門扉や囲い柵に使用されている、棒状構造体に、該円弧状構造体に構成した刷毛を円弧の略中心にセットした実施例図である。
【図１３】前記、記載の通りセットされた円弧状構造体に構成した刷毛を、該半円弧状構造体に構成した刷毛の片側に設けた取手を直角に回転させ、柵の塗装を可能にした実施例図。
【発明の実施と形態】
【０００７】図３〜図８は本発明請求項１に係る、刷毛の実施例を示す。
円弧構造体１は一回転と１／５程度円弧を描くよう湾曲させてあるが、先端が円弧の一部と接触せず、間隔を持って曲げてある。
門扉や囲い柵に使用されている、棒状構造体４に該円弧構造体１の他の部位が円弧の一部と接触しないよう間隔を持って曲げてある部分を前記棒状構造体４に合わせ、刷毛２の略真中近くまで取手３を操作し移動させ、該取手３の軸を右に回し刷毛２が略平行になることにより棒状構造体４の全周塗装を可能にしている。
図１１〜図１３は本発明請求項２に係る、刷毛の実施例を示す。
請求項２記載の刷毛は、図１１において、円弧状構造体１を門扉や囲い柵に使用されている、棒状構造体４に、該円弧状構造体１に構成した刷毛２を立てた状態で、前記棒状構造体４の略中心に移動、刷毛２を、取手３を操作し略平行にすることにより、該棒状構造体４の全周塗装を可能にしている。
【符号の説明】
【０００８】１：円弧状構造体
２：刷毛
３：取手
４：棒状構造体
【図１】
2018153599.tif 000003
【図２】
2018153599.tif 000004
【図３】
2018153599.tif 000005
【図４】
2018153599.tif 000006
【図５】
2018153599.tif 000007
【図６】
2018153599.tif 000008
【図７】
2018153599.tif 000009
【図８】
2018153599.tif 000010
【図９】
2018153599.tif 000011
【図１０】
2018153599.tif 000012
【図１１】
2018153599.tif 000013
【図１２】
2018153599.tif 000014
【図１３】
2018153599.tif 000015
(57)【要約】【課題】    外出先で立ったままでもスマートフォン・タブレット・携帯ゲーム等の使用が楽になるような腕の支えが出来るスマートフォン・タブレット・携帯ゲーム用バッグを提供する。【解決手段】  バッグ本体部分（１）と表面部分（２）に稼働用の金具（３）と取り外の出来る金具（４）を設け、ベルト（５）を設けたバッグを特徴とする。【選択図】図１
2018153598.tif 000002
【特許請求の範囲】
【請求項１】
バッグ本体中身（１）に芯となるボードと中綿を、本体表面（２）にタブレット使能な透明ビニール素材を設け、バッグの一端に、稼働用の金具（３）と取り外しの出来る金具（４）を設け、ベルト（５）を設けた、スマートフォン・タブレット・携帯ゲーム等使に（写生の際に使うガバンの要領で）腕の支えとしても利用出来るバッグ。
【発明の詳細な説明】
【技術分野】
【０００１】  本発明は、楽な姿勢で腕を支え（サポート）スマートフォン・タブレット・ゲーム等を使用するためのバッグ（ポーチ）に関するものである。
【背景技術】
【０００２】  従来スマートフォン・タブレット・ゲーム等用のバッグはあるが、それらの使用時に腕の支えになる特徴のあるバッグに特化するものがなかった。
【先行技術文献】
【特許文献】
【０００３】
【特許文献１】特開２０１３−２０２０９７号公報
【発明の概要】
【発明が解決しようとする課題】
【０００４】  これは次のような欠点があった。
外出先で立ったままの場合、スマートフォン・タブレット・携帯ゲーム等使用時には楽に腕を支えられるものがなかった。
本発明は、以上のような欠点をなくすためになされたものである。
【課題を解決するための手段】
【０００５】  バッグ本体内部（１）に芯となるボードと柔らかく弾力のある中綿を使用し、表面にタブレットを直接操作可能な透明ビニール素材（２）を設ける。
稼働用の金具（３）と取り外しの出来る金具（４）を設け、金具（３）、金具（４）にベルト（５）を設ける。
バッグ使用時には金具（４）を留め通常使用し、スマートフォン・タブレット・携帯ゲーム等使用時には金具（４）を外し、バッグを肩に掛けたまま写生の際に使うガバンの要領で両腕を楽に支えられるように利用する。
本発明は、以上の構成よりなるスマートフォン・タブレット・携帯ゲーム用バッグである。
【発明の効果】
【０００６】  バッグのベルトの金具の一部を外し首から掛けられ、またバッグ本体が支えとなり、立ったままの姿勢でスマートフォン・タブレット・携帯ゲーム等を使用する際も腕が楽にささえられる。
バッグは本来の役割として使用出来るので、持ち運びにもなんらさしつかえない。
【図面の簡単な説明】
【０００７】
【図１】  本発明の正面図である。（肩に掛けてのバッグとしての使用時）
【図２】  本発明の上面図である。（首に掛けてのガバンとしての使用時）
【発明を実施するための形態】
【０００８】  以下、本発明を実施するための形態について説明する。
バッグ本体素材は腕の支えが楽なように芯となるボードと中綿（１）を使用、表面はタブレットを直接見ながら操作可能な透明ビニール素材（２）を設ける。
バッグ本体の上部片側（ａ）と反対の下部片側（ｂ）に稼働用の金具（３）を設ける。
さらに（ａ）の反対の上部片側（ｃ）に付け外しの出来る金具（４）を設ける。
ベルト（５）に金具（４）を取り付け、金具（３）に通してバッグ本体に固定する。
本発明は、以上のような構造である。
これを使用するときは普段はバッグとして、スマートフォン・タブレット・携帯ゲーム等の使用時には金具（４）を外してバッグを肩に掛けたまま、写生の際に使うガバンの要領で腕の支えとして利用すればよい。
【符号の説明】
【０００９】１  ボードと中綿入りバッグ
２  透明ビニール素材
３  稼働用金具
４  取り外し用金具
５  ベルト
【図１】
2018153598.tif 000003
【図２】
2018153598.tif 000004